(57)【要約】  本発明はマスクに関するもので、使用者の呼吸器を覆う本体部と、上記本体部の両側に設けられて使用者の呼吸器に上記本体部を固定させることができる掛け部と、含み、上記本体部は、下部をなして上記使用者の顎を覆う顎部の顎カバー部を含むことを特徴とするマスクであることを特徴とする。
2021529268.tif 000002
【特許請求の範囲】
【請求項１】
使用者の呼吸器を覆う本体部と、
前記本体部の両側に設けられて使用者の呼吸器に前記本体部を固定させることができる掛け部と、
含み、
前記本体部は、下部をなして前記使用者の顎を覆う顎部の顎カバー部を含むことを特徴とするマスク。
【請求項２】
前記本体部は、着用前には重なっており、着用後には広げられる複数個のフォールディング部からなり、
前記複数個のフォールディング部は、それぞれがプリーツ面とプリーツ線からなり、
中央フォールディング部を中心として上側に少なくとも１つ以上形成される上側フォールディング部のプリーツ形状と下側に少なくとも１つ以上形成される下側フォールディング部のプリーツ形状が反対方向または同じ方向に形成されることを特徴とする請求項１に記載のマスク。
【請求項３】
前記本体部は、
外部に露出される表地と、
前記表地の内側に設けられるフィルタと、
前記フィルタの内側に設けられて前記呼吸器と対向する裏地と、
が積層されることを特徴とする請求項１に記載のマスク。
【請求項４】
前記顎カバー部は、前記顎部の下辺に整列されて前記顎部の一側辺から他側辺まで延長されることを特徴とする請求項１に記載のマスク。
【請求項５】
前記顎カバー部は、前記本体部をなす前記複数個のフォールディング部を形成する材質の予定された大きさより一定長さ大きく延長し、前記複数個のフォールディング部を形成した後、延長された前記材質を横方向に折り畳んでから前記顎部の一側辺及び他側辺を融着して前記顎部の内側に開放されるように形成されることを特徴とする請求項２に記載のマスク。
【請求項６】
前記顎カバー部は、前記顎部に積層され、前記顎部の下辺、一側辺、他側辺に密着される部分を融着して前記顎部の内側に開放されるように形成されることを特徴とする請求項１に記載のマスク。
【請求項７】
前記顎カバー部は、非通気性材質からなることを特徴とする請求項１に記載のマスク。
【請求項８】
前記顎カバー部は、非通気性シート、ラミネートまたは非通気性ウレタンフォーム素材からなることを特徴とする請求項１に記載のマスク。
【請求項９】
前記掛け部は、一端が前記顎カバー部のない本体部の領域に連結され、他端が、前記顎カバー部が含まれた本体部の領域に連結されることを特徴とする請求項１に記載のマスク。
【請求項１０】
前記顎カバー部は、本体部の縦の長さの１０％〜６０％の範囲であることを特徴とする請求項１に記載のマスク。
【請求項１１】
前記顎カバー部は、本体部の縦の長さの２５％〜５０％の範囲であることを特徴とする請求項１に記載のマスク。
【請求項１２】
前記顎カバー部は、坪量が１５ｇｓｍ〜６０ｇｓｍの不織布であることを特徴とする請求項１に記載のマスク。
【発明の詳細な説明】
【技術分野】
【０００１】
本発明はマスクに関し、より詳細には、鼻部、頬部、顎部、口部及び掛け部の構造を改善することで、使用者が着用した際の顔面における密着力及び立体感を向上させることができるマスクに関する。
【背景技術】
【０００２】
最近、国内で発生する微細粉塵とともに中国の産業化に伴う化石燃料の燃焼増加により国内に流入される微細粉塵が増加しており、微細粉塵への露出が加重されている。微細粉塵は多量の有毒性化合物と重金属を含んでおり、人が吸い込むと、心臓麻痺、喘息、気管支炎、肺炎、肺がんなどの病気を齎すと知られている。
【０００３】
ある研究によると、首都圏だけで微細粉塵によって年間２万人余りの早期死亡や肺関連疾患が発生しているとも報告されている。このような微細粉塵の人体への流入を遮断するためにマスクを使用する。
【０００４】
その他にも重症急性呼吸器症候群（ＳＡＲＳ）や最近国内で流行った中東呼吸器症候群（ＭＥＲＳ）、風邪などを誘発する伝染性病原菌からの感染または伝染を防ぐために、日常生活で着用するケースも増えている。
【０００５】
通常、このようなマスクは、使用者の鼻と口などの呼吸器を覆う本体部と、使用者にマスクを締結するための手段として提供される掛け部と、で構成される。一部のマスクでは、着用時の快適さやマスクと顔面の密着を高めて外部空気の流入を遮断するために鼻を覆う鼻部と顎を覆う顎部が区分されている場合もある。
【０００６】
一般的に、マスクは、平面状に折り畳まれて保管できるように平らに製作され、着用時に形状が立体的に変形されて呼吸器官の周辺を覆うことができる。このようなマスクは、鼻や口とマスクの間に十分な呼吸空間を確保するために立体的な形状を保持することができる様々な構造が使われていた。
【０００７】
ところが、従来の平型マスクは立体形状を構造的に保持するために様々な構成や構造などを使用するが、従来のマスクは呼吸空間を確保したとしても保管を不便だったり、着用感と密着感を低下させたりする問題は解消できていない。
【０００８】
また、従来のマスクは鼻や口などの呼吸器を覆う本体部をプリーツ型にして呼吸空間を確保しており、このような従来のマスクは簡単な製造工程で製作可能であるが、その一方で、着用時の使用者の顔面、即ち、頬、鼻、顎への密着力が足りず空気が多く漏れる問題があり、マスクの着用時にプリーツにより着用後に話をしたり動いたりするときの制限は少ないが、密着力が低くて顔面部を動かすときに中央に固定されないという不便があった。
【発明の概要】
【発明が解決しようとする課題】
【０００９】
本発明は上記のような従来技術の問題点を解決するために創出されたものであり、本発明の目的は、着用時に呼吸器周辺が立体形状を有するようにしながらも顔面（頬、鼻、顎）における密着力を高めて空気漏れを防止することができるマスクを提供することである。
【課題を解決するための手段】
【００１０】
本発明の一側面によるマスクは、使用者の呼吸器を覆う本体部と、上記本体部の両側部にそれぞれ形成されて着用時に上記本体部を基準として立体形状を有し、上記使用者の顔面部と接触する密着部と、を含むことを特徴とする。
【００１１】
具体的に、上記密着部は使用者の頬と密着する頬密着部であり、上記本体部の両側辺にそれぞれ整列されて上辺から下辺まで延長されてもよい。
【００１２】
具体的に、上記頬密着部は上記本体部に積層され、上記本体部の上辺、側辺及び下辺に密着される部分を融着して上記本体部の内側に開放されるフラップ構造からなってもよい。
【００１３】
具体的に、上記頬密着部は非通気性材質からなってもよい。
【００１４】
具体的に、上記頬密着部は非通気性シート、ラミネートまたは非通気性ウレタンフォーム素材からなってもよい。
【００１５】
具体的に、上記本体部は、上記使用者の多様な顔ラインに対応するように側辺中央部が凹んだ構造、側辺上部が凹んだ構造、側辺下部が凹んだ構造、下辺の角が直線または曲線に切断された構造、両側辺が下辺に向かうほど幅が狭くなる構造のうち何れか１つの構造で形成されてもよい。
【００１６】
具体的に、上記本体部は、両側部をなして上記使用者の頬を覆う頬部と、上部をなして上記使用者の鼻を覆う鼻部と、下部をなして上記使用者の顎を覆う顎部と、上記頬部、上記鼻部、上記顎部の内側に設けられて上記使用者の口を覆う口部と、を含んでもよい。
【００１７】
具体的に、上記本体部は、着用前には重なっており、着用後には広げられる複数個のフォールディング部からなり、上記複数個のフォールディング部は、それぞれがプリーツ面とプリーツ線からなり、中央フォールディング部を中心として上側に少なくとも１つ以上形成される上側フォールディング部のプリーツ形状と下側に少なくとも１つ以上形成される下側フォールディング部のプリーツ形状が反対方向または同じ方向に形成されてもよい。
【００１８】
具体的に、上記本体部は、上記複数個のフォールディング部を折り畳んだとき、上記プリーツ面と上記プリーツ線によって生じる露出部と非露出部との面積比率、上記フォールディング部のそれぞれの縦、横の大きさ、及び上記フォールディング部の個数を調整することで、上記複数個のフォールディング部を広げたときの全体の大きさが決まるようにすることができる。
【００１９】
具体的に、上記本体部は、外部に露出される表地と、上記表地の内側に設けられるフィルタと、上記フィルタの内側に設けられて上記呼吸器と対向する裏地と、が積層されてもよい。
【００２０】
具体的に、上記本体部は、上記表地と上記フィルタの間に積層される剛性中間材をさらに含み、上記剛性中間材はプラスチックメッシュであってもよい。
【００２１】
具体的に、上記頬部は上記密着部を含み、上記密着部は上記本体部の両側辺の形状に対応する形状であってもよい。
【００２２】
具体的に、上記頬部は側辺上端の角から側辺下端の角まで延長されるが、上下中心に向かうほど側辺との距離が遠くなる点線または実線が連続性を有する融着線が曲線形状をなす第１頬融着部を含んでもよい。
【００２３】
具体的に、上記頬部は、上記第１頬融着部の曲線において側辺と最も離れた部分の下部に位置する上記下側フォールディング部の上記プリーツ線を融着するように形成されるが、点線または実線が不連続性を有する融着線からなる第２頬融着部をさらに含んでもよい。
【００２４】
具体的に、上記頬部は上記本体部の両側部にそれぞれ形成されるが、立体感を有して上記表地に形成され、着用時に掛け部によって上記顔面部を圧迫する頬圧迫部を含んでもよい。
【００２５】
具体的に、上記頬圧迫部は、上記掛け部を上記本体部の内側に位置させた状態で、上記掛け部の一部分を覆うように形成されてもよい。
【００２６】
具体的に、上記頬部は上記本体部の両側部にそれぞれ形成されるが、立体感を有して上記表地と裏地の間に形成され、着用時に掛け部によって上記顔面部を密封する頬密封部を含んでもよい。
【００２７】
具体的に、上記鼻部は上記本体部の上部をなし、左右が平行であるか、左右中心に向かうほど高さが高くなる形状を有し、上記鼻部の上辺またはその上辺に隣接して挿入される鼻金を含んでもよい。
【００２８】
具体的に、上記鼻金は鼻筋周辺の顔の形に対応する形状を有し、被覆針金を素材として利用し、長さは５０．０ｍｍ〜２００．０ｍｍ、幅は２．０ｍｍ〜１０．０ｍｍ、厚さは０．５０ｍｍ〜２．５０ｍｍにすることで、モジュラス（Ｎ）（ｎ＋１０）が１．５０Ｎ以上５．００Ｎ以下になるようにすることができる。
【００２９】
具体的に、上記鼻部は左右中心から両側にそれぞれ形成され、一定面積を有する鼻融着点を含んでもよい。
【００３０】
具体的に、上記鼻融着点は上記複数個のフォールディング部のうち上記使用者の鼻先に接触する該当フォールディング部の上記プリーツ面に形成されてもよい。
【００３１】
具体的に、上記鼻部は上記本体部の上辺に形成されるが、立体感を有して上記表地と上記裏地の間に内在されて形成され、着用時に掛け部によって上記顔面部を密封する鼻密封部を含んでもよい。
【００３２】
具体的に、上記鼻部は上記使用者の鼻を覆う鼻カバー部を含み、上記鼻カバー部は上記鼻部の上辺に整列されて上記鼻部の一側辺から他側辺まで延長されてもよい。
【００３３】
具体的に、上記鼻カバー部は上記本体部と同じ材質からなり、上記本体部をなす上記複数個のフォールディング部を形成する材質の予定された大きさより一定長さ大きく延長し、上記複数個のフォールディング部を形成した後、延長された上記材質を横方向に折り畳んでから上記鼻部の一側辺及び他側辺を融着して上記鼻部の内側に開放されるように形成されてもよい。
【００３４】
具体的に、上記鼻カバー部は上記鼻部に積層され、上記鼻部の上辺、一側辺、他側辺に密着される部分を融着して上記鼻部の内側に開放されるように形成されてもよい。
【００３５】
具体的に、上記鼻カバー部は非通気性材質からなってもよい。
【００３６】
具体的に、上記鼻カバー部は、非通気性シート、ラミネートまたは非通気性ウレタンフォーム素材からなってもよい。
【００３７】
具体的に、上記顎部は上記使用者の顎を覆う顎カバー部を含み、上記顎カバー部は上記顎部の下辺に整列されて上記顎部の一側辺から他側辺まで延長されてもよい。
【００３８】
具体的に、上記顎カバー部は、上記本体部をなす上記複数個のフォールディング部を形成する材質の予定された大きさより一定長さ大きく延長し、上記複数個のフォールディング部を形成した後、延長された上記材質を横方向に折り畳んでから上記顎部の一側辺及び他側辺を融着して上記顎部の内側に開放されるように形成されてもよい。
【００３９】
具体的に、上記顎カバー部は上記顎部に積層され、上記顎部の下辺、一側辺、他側辺に密着される部分を融着して上記顎部の内側に開放されるように形成されてもよい。
【００４０】
具体的に、上記顎カバー部は非通気性材質からなってもよい。
【００４１】
具体的に、上記顎カバー部は、非通気性シート、ラミネートまたは非通気性ウレタンフォーム素材からなってもよい。
【００４２】
具体的に、上記本体部の両側に設けられて上記使用者の呼吸器に上記本体部を固定する掛け部をさらに含み、上記掛け部は、一端が上記顎カバー部のない本体部の領域に連結され、他端が、上記顎カバー部が含まれた本体部の領域に連結されてもよい。
【００４３】
具体的に、上記顎部は、左右下端の角部分において上記使用者の顎ラインに対応するように形成されるが、点線または実線が連続性を有する融着線が少なくとも１つ以上形成される第１顎融着部を含んでもよい。
【００４４】
具体的に、上記顎部は、左右下端の角部分において上記使用者の顎ラインに対応する位置の上記下側フォールディング部の上記プリーツ線を融着するように形成されるが、点線または実線が不連続性を有する融着線からなる第２顎融着部を含んでもよい。
【００４５】
具体的に、上記顎部は上記本体部の下辺に形成されるが、立体感を有して上記表地と上記裏地の間に内在されて形成され、着用時に掛け部によって上記顔面部を密封する顎密封部を含んでもよい。
【００４６】
具体的に、上記顎部は顎を覆う折り畳み部を含み、上記折り畳み部は上記顎部の下辺に沿って一定幅で形成されてもよい。
【００４７】
具体的に、上記折り畳み部は上記本体部の縦の長さを延長し、延長される部分が内側に折り畳まれるようにして形成されてもよい。
【００４８】
具体的に、上記折り畳み部の幅は上記本体部の縦の長さの１０％〜６０％の範囲であってもよい。
【００４９】
具体的に、上記折り畳み部に掛け部が連結されてもよい。
【００５０】
具体的に、上記口部は左右中心から左右側に一定長さ延長される口融着部を含んでもよい。
【００５１】
具体的に、上記口融着部は、上記複数個のフォールディング部のうち上記使用者の鼻先と口の間に位置する該当フォールディング部の上記プリーツ面に形成されるが、点線または実線が連続性を有する少なくとも１つ以上の融着線からなってもよい。
【００５２】
具体的に、上記口部は左右中心から左右側に一定長さ延長される剛性部を含んでもよい。
【００５３】
具体的に、上記剛性部は、上記複数個のフォールディング部のうち上記使用者の鼻先と口の間に位置する該当フォールディング部に形成されてもよい。
【００５４】
具体的に、上記剛性部は、上記該当フォールディング部の上記プリーツ面において上記表地と上記フィルタの間に積層されてもよい。
【００５５】
具体的に、上記本体部の両側に設けられて上記使用者の呼吸器に上記本体部を固定する掛け部をさらに含み、上記掛け部は第１連結部によって上記本体部の上部に連結され、第２連結部によって上記本体部の下部に連結されてもよい。
【００５６】
具体的に、上記第２連結部は上記第１連結部より左右中心側に偏って形成されてもよい。
【００５７】
具体的に、上記第１連結部と上記第２連結部のそれぞれは、上記本体部の上端及び下端の角から上下中心側に偏って形成されてもよい。
【００５８】
具体的に、上記掛け部の長さは１００ｍｍ〜２５０ｍｍであってもよい。
【００５９】
具体的に、上記本体部の上下側に設けられて上記使用者の呼吸器に上記本体部を固定する第１掛け部及び第２掛け部をさらに含み、上記第１掛け部は上記本体部の左側上端と右側上端にそれぞれに設けられる連結部によって固定され、上記第２掛け部は上記本体部の左側下端と右側下端にそれぞれ設けられる連結部によって固定されてもよい。
【発明の効果】
【００６０】
本発明によるマスクは、顔面における密着力を向上させ、立体感を出すことができるように、本体部をなす頬部、鼻部、顎部及び口部と掛け部の構造を改善することで、使用者の利便性と信頼性を向上させることができる。
【００６１】
また、本発明によるマスクは、本体部をなす複数個のフォールディング部において中央フォールディング部を中心として上側フォールディング部のプリーツ形状と下側フォールディング部のプリーツ形状が逆に形成されるようにすることで、使用者の顔の大きさに応じて上側プリーツと下側プリーツが別途に広げられることができ、立体感の向上だけでなく、使用者の着用感も向上させることができる。
【００６２】
また、本発明によるマスクは、本体部の両側辺の構造または下辺の構造を使用者の多様な頬の形状に適合するように様々な構造で形成することで、着用時の使用者の頬または顎への密着力を向上させることができ、頬または顎側の空気漏れを防止することができる。
【００６３】
また、本発明によるマスクは、頬部にフラップ構造の頬密着部を形成するか、頬融着部、頬圧迫部、頬密封部を形成することで、着用時の使用者の頬への密着力を向上させることができ、頬側の空気漏れを防止することができる。
【００６４】
また、本発明によるマスクは、鼻部の上辺の形状を使用者の鼻筋周辺の形状にしながら鼻金を適用することで、着用時の使用者の鼻への密着力を向上させることができ、鼻側の空気漏れを防止することができる。
【００６５】
また、本発明によるマスクは、鼻部に鼻カバー部を形成することで、着用時に鼻カバー部が鼻を覆うようになり、鼻への密着力を向上させるだけでなく、固定力も向上させることができ、鼻側の空気漏れを防止することができる。
【００６６】
また、本発明によるマスクは、顎部に顎カバー部を形成することで、着用時に顎カバー部が顎を覆うようになり、顎への密着力を向上させるだけでなく、固定力も向上させることができ、鼻及び顎側の空気漏れを防止することができ、マスクの着用時に話をしたり、首を動かしたり、長時間着用しても、密着力、固定力の向上によりマスクの着用形態が一定に保持されて使用上の満足感を向上させることができる。
【００６７】
また、本発明によるマスクは、鼻部に鼻密封部を形成し、顎部に顎密封部を形成することで、着用時に鼻密封部及び顎密封部が鼻及び顎を密封するようになり、鼻の上部と顎の下部からの空気漏れを防止することができる。
【００６８】
また、本発明によるマスクは、鼻部に鼻融着点を形成することで、着用時の呼吸器部分の立体感を向上させることができる。
【００６９】
また、本発明によるマスクは、顎部に連続性融着線からなる第１顎融着部を形成することで、着用時の使用者の顎への密着力を向上させることができ、顎側の空気漏れを防止することができる。
【００７０】
また、本発明によるマスクは、顎部にフォールディング部のプリーツ線だけを融着する不連続性融着線からなる第２顎融着部を形成することで、フォールディング部が広げられるとき、その部分に呼吸空間が設けられることができ、呼吸器部分の立体感を向上させることができる。
【００７１】
また、本発明によるマスクは、口部に口融着部または剛性部を形成することで、着用時の呼吸器部分の立体感を向上させることができる。
【００７２】
また、本発明によるマスクは、掛け部を本体部の上下側に設けることで、顔の大きさが平均より小さい使用者が自分の顔より大きいマスクを着用するとき、両側の頬で発生する空気漏れを防備することができる。
【図面の簡単な説明】
【００７３】
【図１】本発明の一実施例によるマスクの正面図である。
【図２】本発明による本体部の構成を説明する図である。
【図３】本発明による本体部の第１実施例を説明する図である。
【図４】本発明による本体部の第２実施例を説明する図である。
【図５】本発明による本体部の第３実施例を説明する図である。
【図６】本発明による本体部の第４実施例を説明する図である。
【図７】本発明による本体部の第５実施例を説明する図である。
【図８】本発明による本体部の第６実施例を説明する図である。
【図９】本発明による頬部の第１実施例を説明する図である。
【図１０】本発明による頬部の第２実施例を説明する図である。
【図１１】本発明による頬部の第３実施例を説明する図である。
【図１２】本発明による鼻部の第１実施例を説明する図である。
【図１３】本発明による鼻部の第２実施例を説明する図である。
【図１４】本発明による鼻部の第３実施例または顎部の第１実施例を説明する図である。
【図１５】（ａ）、（ｂ）、（ｃ）は図１４のマスクを全部または一部広げた状態を示す図であり、（ａ）は全部広げた状態、（ｂ）は鼻部を広げた状態、（ｃ）は顎部を広げた状態である。
【図１６】本発明による鼻部の第４実施例または顎部の第２実施例を説明する図である。
【図１７】本発明による顎部の第３実施例を説明する図である。
【図１８】本発明による顎部の第４実施例を説明する図である。
【図１９】本発明による顎部の第５実施例を説明する図である。
【図２０】本発明による口部の第１実施例を説明する図である。
【図２１】本発明による口部の第２実施例を説明する図である。
【図２２】本発明による掛け部の第１実施例を説明する図である。
【図２３】本発明による掛け部の第２実施例を説明する図である。
【図２４】本発明による掛け部の第３実施例を説明する図である。
【発明を実施するための形態】
【００７４】
本発明の目的、特定の利点及び新規な特徴は添付の図面と関連する以下の詳細な説明と好ましい実施例から更に明らかになるだろう。本明細書では、各図面の構成要素に参照番号を付するにおいて、同じ構成要素に限ってはたとえ他の図面上に表示されていても可能な限り同じ番号を付したことに留意すべきである。また、本発明を説明するに当たり、関連する公知の技術に対する具体的な説明が本発明の要旨を不要に不明確にすると判断される場合には、その詳細な説明を省略する。
【００７５】
以下、添付の図面を参照して本発明の好ましい実施例を詳細に説明する。
【００７６】
図１は本発明の一実施例によるマスクの正面図であり、図２は本発明による本体部の構成を説明するためのものであり、図３は本発明による本体部の第１実施例を説明するためのものであり、図４は本発明による本体部の第２実施例を説明するためのものであり、図５は本発明による本体部の第３実施例を説明するためのものであり、図６は本発明による本体部の第４実施例を説明するためのものであり、図７は本発明による本体部の第５実施例を説明するためのものであり、図８は本発明による本体部の第６実施例を説明するための図面であり、図９は本発明による頬部の第１実施例を説明するためのものであり、図１０は本発明による頬部の第２実施例を説明するためのものであり、図１１は本発明による頬部の第３実施例を説明するためのものであり、図１２は本発明による鼻部の第１実施例を説明するためのものであり、図１３は本発明による鼻部の第２実施例を説明するためのものであり、図１４は本発明による鼻部の第３実施例または顎部の第１実施例を説明するためのものであり、図１５の（ａ）、（ｂ）、（ｃ）は図１４のマスクを全部または一部広げた状態を示したもので、（ａ）は全部広げた状態、（ｂ）は鼻部を広げた状態、（ｃ）は顎部を広げた状態であり、図１６は本発明による鼻部の第４実施例または顎部の第２実施例を説明するためのものであり、図１７は本発明による顎部の第３実施例を説明するためのものであり、図１８は本発明による顎部の第４実施例を説明するためのものであり、図１９は本発明による顎部の第５実施例を説明するためのものであり、図２０は本発明による口部の第１実施例を説明するためのものであり、図２１は本発明による口部の第２実施例を説明するためのものであり、図２２は本発明による掛け部の第１実施例を説明するためのものであり、図２３は本発明による掛け部の第２実施例を説明するためのものであり、図２４は本発明による掛け部の第３実施例を説明するためのものである。
【００７７】
図１〜図８を参照すると、本発明の一実施例によるマスク１は、本体部１０、掛け部２０を含む。
【００７８】
本体部１０は使用者の呼吸器を覆う。本体部１０は、図２に示したように外部に露出される表地１０１と、表地１０１の内側に設けられるフィルタ１０２と、フィルタ１０２の内側に設けられて使用者の呼吸器と対向する裏地１０３とが積層されて構成されてもよい。裏地１０３は直接肌に接する部分であり、着用時に化粧品が付かないことがよく、そのために裏地の材料としてエンボス形状の不織布を適用することができる。
【００７９】
また、本体部１０は図示していないが、表地１０１とフィルタ１０２の間に積層される剛性中間材をさらに含んでもよい。このとき、剛性中間材はプラスチックメッシュであってもよい。
【００８０】
また、本体部１０はプリーツがないように形成されるが、着用前には重なっており、着用後には広げられる複数個のフォールディング部１１からなってもよい。
【００８１】
複数個のフォールディング部１１はそれぞれがプリーツ面１１１とプリーツ線１１２からなってもよい。このような複数個のフォールディング部１１は、中央フォールディング部を中心として上側に少なくとも１つ以上形成される上側フォールディング部のプリーツ形状と下側に少なくとも１つ以上形成される下側フォールディング部のプリーツ形状が反対方向または同じ方向に形成、即ち、中央フォールディング部を中心として対称になるように形成されてもよい。
【００８２】
複数個のフォールディング部１１は中央フォールディング部を中心としてプリーツ形状が反対方向に形成されるが、このようにプリーツ形状を構成することにより、中央フォールディング部を中心として上側フォールディング部は上方に広げられ、下側フォールディング部は下方に広げられるようになる。使用者ごとに上顎骨と下顎骨の大きさが異なり、例えば、上顎骨が大きい使用者の場合、上側フォールディング部のプリーツが広く広げられ、相対的に小さい下顎骨に対応する下側フォールディング部のプリーツは狭く広げられるようになることで、本発明のフォールディング部１１は使用者の顔の形状に応じて有機的に対応できるようになり、使用者の着用感、利便性、密着感を向上させることができる。プリーツ形状が本発明とは異なって同じ方向に形成される場合、プリーツが一括して一方向に広げられるため、着用感、利便性、密着感が本発明対比で低下するしかない。
【００８３】
即ち、本体部１０をなす複数個のフォールディング部１１において中央フォールディング部を中心として上側フォールディング部のプリーツ形状と下側フォールディング部のプリーツ形状が逆に形成されるようにすることで、使用者の顔の大きさに応じて上側プリーツと下側プリーツが別途に広げられることができ、立体感の向上だけでなく、使用者の着用感も向上させることができる。
【００８４】
上記した複数個のフォールディング部１１からなる本体部１０は、複数個のフォールディング部１１を折り畳んだとき、プリーツ面１１１とプリーツ線１１２によって露出部と非露出部が発生するが、露出部と非露出部の面積比率、フォールディング部１１のそれぞれの縦、横の大きさ、及び上記フォールディング部１１の個数を調整することで、複数個のフォールディング部１１を広げたときの全体の大きさを決めることができる。
【００８５】
本体部１０は、使用者の多様な顔ラインに対応するように側辺中央部が凹んだ構造、側辺上部が凹んだ構造、側辺下部が凹んだ構造のうち何れか１つの構造で形成されてもよく、このような構造は頬の密着力を向上させることができる。
【００８６】
側辺中央部が凹んだ構造は、図３に示したように、本体部１０の側辺上端及び側辺下端から左右の中心に向かうほど本体部１０の内側に緩やかに傾斜する構造であり、頬の中央ラインの密着力を向上させることができる。
【００８７】
側辺上部が凹んだ構造は、図４に示したように、本体部１０の側辺上端付近において本体部１０の内側に急激に傾斜してから、本体部１０の側辺下端に向かうほど本体部１０の外側に緩やかに傾斜する構造であり、頬の上部ラインの密着力を向上させることができる。
【００８８】
側辺下部が凹んだ構造は、図５に示したように、本体部１０の側辺下端付近において本体部１０の内側に急激に傾斜してから、本体部１０の側辺上端に向かうほど本体部１０の外側に緩やかに傾斜する構造であり、頬の下部ラインの密着力を向上させることができる。
【００８９】
また、本体部１０は、使用者の多様な顔ラインに対応するように、下辺が狭くなる構造、例えば、下辺の角が直線または曲線に切断された構造（図６を参照）、両側辺が下辺に向かうほど幅が狭くなる構造（図７及び図８を参照）のうち何れか１つの構造で形成されてもよく、このような構造は顎の密着力を向上させることができる。
【００９０】
上記した本体部１０は、両側部にそれぞれ形成されて着用時に本体部１０を基準として立体形状を有し、使用者の顔面部と接触する密着部として頬密着部１２１を含んでもよい。
【００９１】
本体部１０の両側部のそれぞれには使用者の頬と接触する頬密着部１２１が形成されてもよい。
【００９２】
頬密着部１２１は本体部１０の両側辺にそれぞれ整列されて上辺から下辺まで延長されてもよい。頬密着部１２１は本体部１０に積層され、本体部１０の上辺、側辺及び下辺に密着される部分を融着して、本体部１０の内側には開放されるフラップ構造からなってもよい。
【００９３】
このような頬密着部１２１は非通気性材質からなってもよく、非通気性シート、ラミネートまたは非通気性ウレタンフォーム素材からなってもよい。
【００９４】
本体部１０は、両側部をなして使用者の頬を覆う頬部１２と、上部をなして使用者の鼻を覆う鼻部１３と、下部をなして使用者の顎を覆う顎部１４と、頬部１２、鼻部１３、顎部１４の内側に設けられて使用者の口を覆う口部１５と、を含んでもよい。
【００９５】
本実施例において、本体部１０を頬部１２、鼻部１３、顎部１４、口部１５に区分して説明するのは理解を助けるためであり、何らかの境界線によって区分されず一体型であってもよい。
【００９６】
また、本体部１０は、本体部１０の両側に設けられて使用者の呼吸器に本体部１０を固定する掛け部２０を含んでもよい。
【００９７】
頬部１２は上記した頬密着部１２１を含んでもよい。
【００９８】
頬密着部１２１は図１に示された本体部１０の構造だけでなく、図３〜図８に示された本体部の様々な構造にも適用されることができ、このとき、頬密着部１２１は様々な構造に対応する形状を有する。
【００９９】
また、頬部１２は、図９に示したように、側辺上端の角から側辺下端の角まで延長されるが、上下中心に向かうほど側辺との距離が遠くなる点線または実線が連続性を有する融着線が曲線形状をなす第１頬融着部１２２を含んでもよい。
【０１００】
また、頬部１２は、複数個のフォールディング部１１のうち第１頬融着部１２２の曲線において側辺と最も離れた部分の下側に位置する下側フォールディング部のプリーツ線１１２を融着するように形成されるが、点線または実線が不連続性を有する融着線からなる第２頬融着部１２３をさらに含んでもよい。
【０１０１】
上記のように、頬部１２は、フラップ構造の頬密着部１２１を形成するか、第１頬融着部１２２、第２頬融着部１２３を形成することにより、着用時の使用者の頬への密着力を向上させることができる。
【０１０２】
頬部１２は、図１０に示したように、本体部１０の両側部にそれぞれ形成されるが、立体感を有して表地１０１に形成されて着用時に掛け部２０によって顔面部を圧迫する頬圧迫部１２４を含んでもよい。
【０１０３】
頬圧迫部１２４は本体部１０の両側辺にそれぞれ整列され、一定幅で上辺から下辺まで延長されてもよく、本体部１０の表地１０１に積層されて形成されてもよい。頬圧迫部１２４は非通気性材質からなってもよく、非通気性シート、ラミネートまたは非通気性ウレタンフォームなどの素材からなってもよい。
【０１０４】
また、頬圧迫部１２４は、掛け部２０を本体部１０の内側に位置させた状態で掛け部２０の一部分を覆うように形成されてもよい。このように、頬圧迫部１２４を、掛け部２０の一部分を覆うように形成することで、着用時に掛け部２０が頬圧迫部１２４を直接押すようになり押圧力を増加させることができる。
【０１０５】
上記のように、頬部１２は、立体感を有する頬圧迫部１２４によって着用時に頬を圧迫することで、頬からの空気漏れを防止することができる。
【０１０６】
頬部１２は、図１１に示したように、本体部１０の両側部にそれぞれ形成されるが、立体感を有して表地１０１と裏地１０３の間に形成されて着用時に掛け部２０によって顔面部を密封する頬密封部１２５を含んでもよい。
【０１０７】
頬密封部１２５は本体部１０の両側辺にそれぞれ整列され、一定幅で上辺から下辺まで延長されてもよく、本体部１０の表地１０１と裏地１０３の間に内在されて形成されてもよい。頬密封部１２５はウレタンフォーム、バルキー不織布などの素材からなってもよい。
【０１０８】
上記のように、頬部１２は、立体感を有する頬密封部１２５によって着用時に頬を密封することで、頬からの空気漏れを防止することができる。
【０１０９】
鼻部１３は本体部１０の上部をなし、左右が平行であるか、左右中心に向かうほど高さが高くなる形状であってもよく、図１２に示したように、鼻部１３の上辺またはその上辺に隣接して挿入される鼻金１３１を含んでもよい。
【０１１０】
鼻金１３１は鼻筋周辺の顔の形に対応する形状であってもよい。鼻金１３１は被覆針金を素材として利用し、長さは５０．０ｍｍ〜２００．０ｍｍ、幅は２．０ｍｍ〜１０．０ｍｍ、厚さは０．５０ｍｍ〜２．５０ｍｍにすることで、モジュラス（Ｎ）（ｎ＋１０）が１．５０Ｎ以上５．００Ｎ以下になるようにして、使用者の鼻への密着力を増大させることができる。
【０１１１】
一例として、本発明の鼻金１３１と従来の第１、２鼻金とを比較して下記表に示したように、本発明の鼻金を利用する場合、モジュラス（Ｎ）（ｎ＋１０）が高く、本発明の鼻金１３１を利用する場合、漏れ率が８５％以上に改善された結果を得た。参考までに、保健用マスクＫＦ８０の条件は漏れ率７５％以上である。
【０１１２】
【表１】
2021529268.tif 000003
【０１１３】
また、鼻部１３は、図１３に示したように、左右中心から両側にそれぞれ形成され、一定の面積を有する鼻融着点１３２を含んでもよい。鼻融着点１３２は複数個のフォールディング部１１のうち使用者の鼻先に接触する該当フォールディング部のプリーツ面に形成されてもよい。
【０１１４】
このような鼻融着点１３２は、着用時に呼吸器部分の立体感を向上させることができる。
【０１１５】
また、鼻部１３は、図１４に示したように、使用者の鼻を覆う鼻カバー部１３３を含んでもよい。
【０１１６】
鼻カバー部１３３は、鼻部１３の上辺に整列されて鼻部１３の一側辺から他側辺まで延長されてもよい。
【０１１７】
鼻カバー部１３３は、本体部１０と同じ材質からなってもよく、このとき、本体部１０をなす複数個のフォールディング部１１を形成する材質の予定された大きさより一定長さ大きく延長し、複数個のフォールディング部１１を形成した後、延長された材質を横方向に折り畳んでから鼻部１３の一側辺及び他側辺を融着して鼻部１３の内側に開放されるように形成されてもよい。
【０１１８】
また、鼻カバー部１３３は鼻部１３に積層され、鼻部１３の上辺、一側辺、他側辺に密着される部分を融着して鼻部１３の内側に開放されるように形成されてもよい。このとき、鼻カバー部１３３は非通気性材質、例えば、非通気性シート、ラミネートまたは非通気性ウレタンフォーム素材からなってもよい。
【０１１９】
このような鼻カバー部１３３は鼻部１３の内側に開放されるように形成されることにより、図１５の（ｂ）に示したように、着用時に鼻カバー部１３３が上側に広げられて鼻を覆うようになり、鼻への密着力を向上させるだけでなく、固定力も向上させることができるようになる。
【０１２０】
勿論、上記した鼻金１３１、鼻融着点１３２、鼻カバー部１３３は少なくとも１つを組み合わせて適用されてもよい。
【０１２１】
また、鼻部１３は、図１６に示したように、本体部１０の上辺に形成されるが、立体感を有して表地１０１と裏地１０３の間に形成されて着用時に掛け部２０によって顔面部を密封する鼻密封部１３４を含んでもよい。
【０１２２】
鼻密封部１３４は本体部１０の上辺に整列され、鼻部１３の一側辺から他側辺まで延長されてもよく、本体部１０の表地１０１と裏地１０３の間に内在されて形成されてもよい。鼻密封部１３４はウレタンフォーム、バルキー不織布などの素材からなってもよい。
【０１２３】
上記のように、鼻部１３は、立体感を有する鼻密封部１３４によって着用時に鼻の上部を密封することで、鼻の上部からの空気漏れを防止することができる。
【０１２４】
顎部１４は、図１４に示したように、使用者の顎を覆う顎カバー部１４３を含んでもよい。
【０１２５】
顎カバー部１４３は、顎部１４の下辺に整列されて顎部１４の一側辺から他側辺まで延長されてもよい。
【０１２６】
顎カバー部１４３は、本体部１０と同じ材質からなってもよく、このとき、本体部１０を上下方向にさらに長く形成させた後、本体部の下端を折り畳んでから接着、融着または溶着して顎カバー部１４３を構成してもよい。また、本体部１０をなす複数個のフォールディング部１１を形成する材質の予定された大きさより一定長さ大きく延長し、複数個のフォールディング部１１を形成した後、延長された材質を横方向に折り畳んでから顎部１４の一側辺及び他側辺を融着して顎部１４の内側に開放されるように形成されてもよい。顎カバー部１４３は本体部１０と異なる材質からなってもよい。
【０１２７】
また、顎カバー部１４３は、顎部１４に積層され、顎部１４の下辺、一側辺、他側辺に密着される部分を融着して顎部１４の内側に開放されるように形成されてもよい。このとき、顎カバー部１４３は非通気性材質、例えば、非通気性シート、ラミネートまたは非通気性ウレタンフォーム素材からなってもよい。
【０１２８】
このような顎カバー部１４３は顎部１４の内側に開放されるように形成されることにより、図１５の（ｃ）に示したように、上記した鼻カバー部１３３と同様に着用時に顎カバー部１４３が下方に広げられて顎を覆うようになり、顎への密着力を向上させるだけでなく、固定力も向上させることができるようになる。
【０１２９】
上記した鼻カバー部１３３と顎カバー部１４３は同時に適用されてもよく、この場合、図１５の（ａ）に示したように、着用時に鼻カバー部１３３が鼻を覆うようになり、顎カバー部１４３が顎を覆うようになって、鼻及び顎への密着力を向上させるだけでなく、固定力をさらに向上させることができ、鼻及び顎側の空気漏れを防止することができる。
【０１３０】
顎カバー部１４３の幅は本体部１０の縦の長さの１０％〜６０％の範囲であってもよい。これにより、顎カバー部１４３はマスク着用時の顎部１４の漏れ率を改善することができる。顎カバー部１４３の幅は本体部１０の縦の長さの２５％〜５０％の範囲であることが好ましく、これにより、顎カバー部１４３で顎への固定力を向上させて、長時間着用したり着用時に話したりするとき、マスクが上に動くことを防止して使用者の着用感を良くすることができる。
【０１３１】
上記顎カバー部１４３を有する構造において、本体部１０の両側に設けられて使用者の呼吸器に本体部１０を固定する掛け部２０は、一端が顎カバー部１４３のない本体部の領域に連結され、他端が、顎カバー部１４３が含まれた本体部の領域に連結されてもよい。
【０１３２】
顎カバー部１４３の材質は本体部１０の材質と同じ材質からなってもよい。但し、顎カバー部１４３は本体部１０より柔軟性を有するように形成されることができる。例えば、顎カバー部１４３は坪量が１５ｇｓｍ〜６０ｇｓｍの不織布を積層して形成されてもよい。このように顎カバー部１４３を坪量が低くて柔軟性の良い不織布で形成することにより、使用者の多様な顔の形に関わらず顎全体をまんべんなく密着させることができ、顎部１４の漏れ率を改善することができる。
【０１３３】
また、顎部１４は、図１６に示したように、本体部１０の下辺に形成されるが、立体感を有して表地１０１と裏地１０３の間に形成されて着用時に掛け部２０によって顔面部を密封する顎密封部１４４を含んでもよい。
【０１３４】
顎密封部１４４は本体部１０の下辺に整列され、顎部１４の一側辺から他側辺まで延長されてもよく、本体部１０の表地１０１と裏地１０３の間に内在されて形成されてもよい。顎密封部１４４はウレタンフォーム、バルキー不織布などの素材からなってもよい。
【０１３５】
上記のように、顎部１４は、立体感を有する顎密封部１４４によって着用時に顎の下部を密封することで、顎の下部からの空気漏れを防止することができる。
【０１３６】
また、顎部１４は、図１７に示したように、左右下端の角部分において使用者の顎ラインに対応するように形成されるが、点線または実線が連続性を有する融着線が少なくとも１つ以上形成される第１顎融着部１４１を含んでもよい。
【０１３７】
上記において、第１顎融着部１４１は、複数個のフォールディング部１１のうち左右下端の角部分において使用者の顎ラインに対応する位置の下側フォールディング部のプリーツ面及びプリーツ線を融着させるようになり、着用時の使用者の顎への密着力を向上させることができる。
【０１３８】
また、顎部１４は、図１８に示したように、複数個のフォールディング部１１のうち左右下端の角部分において使用者の顎ラインに対応する位置の下側フォールディング部のプリーツ線を融着するように形成されるが、点線または実線が不連続性を有する融着線からなる第２顎融着部１４２を含んでもよい。
【０１３９】
上記において、第２顎融着部１４２は、複数個のフォールディング部１１のうち下側フォールディング部のプリーツ線だけを融着させるようになり、複数個のフォールディング部１１が広げられるとき、その部分でプリーツ面も広げられるようになり呼吸空間が設けられることができ、これにより、呼吸器部分の立体感を向上させることができる。
【０１４０】
また、顎部１４は、図１９に示したように、使用者の顎を覆う折り畳み部１４５を含んでもよい。
【０１４１】
折り畳み部１４５は顎部１４の下辺に沿って一定幅で形成されてもよい。
【０１４２】
このような折り畳み部１４５は、顔面部を覆う本体部１０の縦の長さを延長し、延長される部分が内側に折り曲げられるように形成されてもよい。折り畳み部１４５は本体部１０をなす複数個のフォールディング部１１と類似または同様のフォールディング構造で形成されてもよい。このように、本体部１０の延長される部分を利用して折り畳み部１４５を形成することにより、折り畳み部１４５を形成するための別途の追加切断工程なしに、既存の本体部１０を形成するための切断工程（但し、本体部の長さに加えて折り畳み部１４５の長さ分だけ延長して切断）だけで折り畳み部１４５を有する平型マスクを容易に生産することができる。
【０１４３】
上記では、折り畳み部１４５が本体部１０から延長されて形成されることを説明したが、顎部１４の下辺に別途で付着して形成されてもよい。
【０１４４】
折り畳み部１４５の幅は本体部１０の縦の長さの１０％〜６０％の範囲であってもよい。これにより、折り畳み部１４５はマスク着用時の顎部１４の漏れ率を改善することができる。
【０１４５】
折り畳み部１４５に掛け部２０が連結されてもよい。掛け部２０は一般的に本体部１０に連結されて本体部１０を顔面部に密着させるが、本実施例では、掛け部２０を折り畳み部１４５に連結させることにより、マスク着用時に本体部１０が顔面部に密着されるようにしながら、折り畳み部１４５を顎部１４にさらに密着固定させることができ、顎部１４の漏れ率をさらに改善することができる。
【０１４６】
折り畳み部１４５の材質は本体部１０の材質と同じ材質からなってもよい。但し、折り畳み部１４５は本体部１０より柔軟性を有するように形成されることができる。例えば、折り畳み部１４５は坪量が１５ｇｓｍ〜６０ｇｓｍの不織布を積層して形成されてもよい。このように折り畳み部１４５を坪量が低くて柔軟性の良い不織布で形成することにより、使用者の多様な顔の形に関わらず顎全体をまんべんなく密着させることができ、顎部１４の漏れ率を改善することができる。
【０１４７】
口部１５は、図２０に示したように、左右中心から左右側に一定長さ延長される口融着部１５１を含んでもよい。
【０１４８】
口融着部１５１は、複数個のフォールディング部１１のうち使用者の鼻先と口の間に位置する該当フォールディング部のプリーツ面に形成されるが、点線または実線が連続性を有する少なくとも１つ以上の融着線からなることができる。
【０１４９】
また、口部は、図２１に示したように、左右中心から左右側に一定長さ延長される剛性部１５２を含んでもよい。
【０１５０】
剛性部１５２は、複数個のフォールディング部１１のうち使用者の鼻先と口の間に位置する該当フォールディング部に形成されてもよい。
【０１５１】
具体的に、剛性部１５２は、該当フォールディング部のプリーツ面において本体部１０の表地１０１とフィルタ１０２の間に積層されてもよい。
【０１５２】
上記した口融着部１５１と剛性部１５２は組み合わさって適用されてもよく、これらは着用時の呼吸器部分の立体感を向上させることができる。
【０１５３】
掛け部２０は本体部１０の両側に設けられて使用者の呼吸器に本体部１０を固定させることができる。
【０１５４】
掛け部２０は、掛け部２０は使用者の頭に巻くバンドであるか、または使用者の耳にかけられる耳掛けの形状であってもよく、本実施例では、便宜上、掛け部２０を耳掛けの形状に限定して説明する。
【０１５５】
掛け部２０はスパンデックスなどのように弾性力を有する紐からなってもよく、紐の両端を融着や圧着などの様々な方法で固定することができ、このとき、紐の両端が固定された部分を第１連結部２１及び第２連結部２２と称することができる。即ち、掛け部２０は第１連結部２１と第２連結部２２を基準とする閉ループを具現することができる。
【０１５６】
掛け部２０は第１連結部２１によって本体部１０の上部に連結され、第２連結部２２によって本体部１０の下部に連結されてもよい。
【０１５７】
第１連結部２１と第２連結部２２は一般的に本体部１０の上端及び下端の角部分に形成されるが、本実施例はこれらを利用して密着力を向上させることができる。
【０１５８】
具体的に、図２２に示したように、第２連結部２２は第１連結部２１より左右中心側に偏って形成されてもよい。このように第２連結部２２の位置を変更することで、顎部１４の密着力を向上させることができる。
【０１５９】
また、図２３に示したように、第１連結部２１と第２連結部２２のそれぞれは本体部１０の上端及び下端の角から上下中心側に偏って形成されてもよい。このように第１連結部２１と第２連結部２２との間隔を狭めることで、頬部１２の密着力を向上させることができる。
【０１６０】
上記では、掛け部２０が本体部１０の両側部に設けられることを説明したが、図２４に示したように、本体部１０の上下部に設けられて使用者の呼吸器に本体部１０を固定させることもできる。
【０１６１】
図２４を参照すると、掛け部３０ａ、３０ｂは本体部１０の上下側に設けられてもよく、説明の便宜上、上側に設けられるものを第１掛け部３０ａとし、下側に設けられるものを第２掛け部３０ｂとして説明する。
【０１６２】
第１掛け部３０ａは本体部１０の左側上端と右側上端にそれぞれ設けられる連結部３１によって固定されてもよく、着用時に使用者の後頭部に掛けられることができる。
【０１６３】
第１掛け部３０ａは使用者の頭に巻くバンド状に形成されてもよい。
【０１６４】
第２掛け部３０ｂは本体部１０の左側下端と右側下端にそれぞれ設けられる連結部３１によって固定されてもよく、着用時に使用者の後ろ首の部分に掛けられることができる。
【０１６５】
第２掛け部３０ｂは使用者の後ろ首に巻くバンド状に形成されてもよい。
【０１６６】
上記した第１、２掛け部３０ａ、３０ｂは両側部から引っ張って本体部１０を使用者の顔面部に固定するのではなく、上下側から引っ張って本体部１０を使用者の顔面部に固定するため、顔の大きさが平均より小さい使用者が自分の顔より大きいマスクを着用するときに両側の頬で発生する空気漏れを防止することができる。
【０１６７】
本発明は上記で説明した実施例に限定されず、上記実施例の組み合わせまたは上記実施例のうち少なくとも何れか１つと公知技術の組み合わせをさらに他の実施例として含むことができる。
【０１６８】
このように、本実施例は、顔面における密着力を向上させ、立体感を出すことができるように、本体部１０をなす頬部１２、鼻部１３、顎部１４及び口部１５と掛け部２０の構造を改善することで、使用者の利便性と信頼性を向上させることができる。
【０１６９】
また、本実施例は、本体部１０をなす複数個のフォールディング部１１において中央フォールディング部を中心として上側フォールディング部のプリーツ形状と下側フォールディング部のプリーツ形状が逆に形成されるようにすることで、使用者の顔の大きさに応じて上側プリーツと下側プリーツが別途に広げられることができ、立体感の向上だけでなく、使用者の着用感も向上させることができる。
【０１７０】
また、本実施例において、本体部１０の両側辺の構造または下辺の構造を使用者の多様な頬の形状に適合するように様々な構造で形成することで、着用時の使用者の頬または顎への密着力を向上させることができ、頬または顎側の空気漏れを防止することができる。
【０１７１】
また、本実施例は、頬部１２にフラップ構造の頬密着部１２１を形成するか、頬融着部１２２、１２３、頬圧迫部１２４、頬密封部１２５を形成することで、着用時の使用者の頬への密着力を向上させることができ、頬側の空気漏れを防止することができる。
【０１７２】
また、本実施例は、鼻部１３の上辺の形状を使用者の鼻筋周辺の形状にしながら鼻金１３１を適用することで、着用時の使用者の鼻への密着力を向上させることができ、鼻側の空気漏れを防止することができる。
【０１７３】
また、本実施例は、鼻部１３に鼻カバー部１３３を形成し、顎部１４に顎カバー部１４３を形成することで、着用時に鼻カバー部１３３及び顎カバー部１４３が鼻及び顎を覆うようになり、鼻及び顎への密着力を向上させるだけでなく、固定力も向上させることができ、鼻及び顎側の空気漏れを防止することができる。
【０１７４】
また、本実施例は、鼻部１３に鼻密封部１３４を形成し、顎部１４に顎密封部１４４を形成することで、着用時に鼻密封部１３４及び顎密封部１４４が鼻及び顎を密封するようになり、鼻の上部と顎の下部での空気漏れを防止することができる。
【０１７５】
また、本実施例は、鼻部１３に鼻融着点１３２を形成することで、着用時の呼吸器部分の立体感を向上させることができる。
【０１７６】
また、本実施例は、顎部１４に連続性融着線からなる第１顎融着部１４１を形成することで、着用時の使用者の顎への密着力を向上させることができ、顎側の空気漏れを防止することができる。
【０１７７】
また、本実施例は、顎部１４にフォールディング部１１のプリーツ線１１２だけを融着する不連続性融着線からなる第２顎融着部１４２を形成することで、フォールディング部１１が広げられるとき、その部分に呼吸空間が設けられることができ、呼吸器部分の立体感を向上させることができる。
【０１７８】
また、本実施例は、口部１５に口融着部１５１または剛性部１５２を形成することで、着用時の呼吸器部分の立体感を向上させることができる。
【０１７９】
また、本実施例は、掛け部３０ａ、３０ｂを本体部１０の上下側に設けることで、顔の大きさが平均より小さい使用者が自分の顔より大きいマスクを着用するときに両側の頬で発生する空気漏れを防備することができる。
【０１８０】
以上では、本発明の実施例を中心として本発明を説明したが、これは単なる例示に過ぎず、本発明を限定するものではなく、本発明が属する分野の通常の知識を有する者であれば、本実施例の本質的な技術内容から外れない範囲内で実施例に例示されていない様々な組み合わせまたは変形と応用が可能であることが分かるだろう。従って、本発明の実施例から容易に導出できる変形と応用に係る技術内容は本発明に含まれると解釈すべきである。
【符号の説明】
【０１８１】
１  マスク
１０  本体部
１０１  表地
１０２  フィルタ
１０３  裏地
１１  フォールディング部
１１１  プリーツ面
１１２  プリーツ線
１２  頬部
１２１  頬密着部
１２２  第１頬融着部
１２３  第２頬融着部
１２４  頬圧迫部
１２５  頬密封部
１３  鼻部
１３１  鼻金
１３２  鼻融着点
１３３  鼻カバー部
１３４  鼻密封部
１４  顎部
１４１  第１顎融着部
１４２  第２顎融着部
１４３  顎カバー部
１４４  顎密封部
１４５  折り畳み部
１５  口部
１５１  口融着部
１５２  剛性部
２０  掛け部
２１  第１連結部
２２  第２連結部
３０ａ  第１掛け部
３０ｂ  第２掛け部
３１  連結部
【図１】
2021529268.tif 000004
【図２】
2021529268.tif 000005
【図３】
2021529268.tif 000006
【図４】
2021529268.tif 000007
【図５】
2021529268.tif 000008
【図６】
2021529268.tif 000009
【図７】
2021529268.tif 000010
【図８】
2021529268.tif 000011
【図９】
2021529268.tif 000012
【図１０】
2021529268.tif 000013
【図１１】
2021529268.tif 000014
【図１２】
2021529268.tif 000015
【図１３】
2021529268.tif 000016
【図１４】
2021529268.tif 000017
【図１５（ａ）】
2021529268.tif 000018
【図１５（ｂ）】
2021529268.tif 000019
【図１５（ｃ）】
2021529268.tif 000020
【図１６】
2021529268.tif 000021
【図１７】
2021529268.tif 000022
【図１８】
2021529268.tif 000023
【図１９】
2021529268.tif 000024
【図２０】
2021529268.tif 000025
【図２１】
2021529268.tif 000026
【図２２】
2021529268.tif 000027
【図２３】
2021529268.tif 000028
【図２４】
2021529268.tif 000029
【国際調査報告】
2021529268.tif 000030
2021529268.tif 000031
2021529268.tif 000032
2021529268.tif 000033